(57)【特許請求の範囲】
【請求項１】
遠隔／ローカル装置上での保存及び／又はビューイングのために人体の心電図（ＥＣＧ）信号を提供するデジタル処理モジュール（ＤＰＭ）であって、当該ＤＰＭは、以下を有する：
‐非接触式ＥＣＧセンサのアレイから前記人体の非接触式ＥＣＧ信号を受け取るように構成された入力部、
‐以下の工程を含む選択処理を実行するように構成されたプロセッサ、
・前記人体の近傍に位置する非接触式ＥＣＧセンサから受け取ったデータを使用して前記人体の身体輪郭を得る工程、
・前記ＤＰＭに組み込まれた規則セットを使用して前記身体輪郭に位置する一つ又は複数の身体部分を検出する工程、
・各検出された身体部分と非接触式ＥＣＧセンサのグループとを関連付ける工程、
・各グループから当該グループの非接触式ＥＣＧセンサに関連付けられた前記身体部分に対する最高信号品質を有する非接触式ＥＣＧセンサを選択する工程、
前記プロセッサは、前記選択された非接触式ＥＣＧセンサから受け取った前記非接触式ＥＣＧ信号に基づいて標準ＥＣＧ信号を作り出すように構成されている、そして
‐前記標準ＥＣＧ信号を前記遠隔／ローカル装置に送信する出力部。
【請求項２】
請求項１のＤＰＭであって、前記プロセッサは、更に、以下の工程を実行するように構成されている：
ａ．前記非接触式ＥＣＧセンサアレイ上の前記人体の位置を判定する工程、
ｂ．前記非接触式ＥＣＧセンサをグループに分け、前記人体の前記身体輪郭と前記位置とを使用して各グループを一つの身体部分に関連付ける工程、
ｃ．各グループから、前記最高信号品質を提供する非接触式ＥＣＧセンサを選択する工程。
【請求項３】
請求項２のＤＰＭであって、前記プロセッサは、各非接触式ＥＣＧセンサと前記人体との間のインピーダンスを測定することによって、前記人体の近傍に位置する非接触式ＥＣＧセンサを識別する。
【請求項４】
請求項１のＤＰＭであって、前記プロセッサは、前記非接触式ＥＣＧセンサアレイに対する前記人体の動きに追従して所与の身体部分に対する別の非接触式ＥＣＧセンサを選択するように構成されている。
【請求項５】
請求項４のＤＰＭであって、前記プロセッサは、前記別の非接触式ＥＣＧセンサの選択を実行するため前記選択処理を連続的に再実行するように構成されている。
【請求項６】
請求項４のＤＰＭであって、前記プロセッサは、現在の信号品質が所与の閾値を超えて低下した時に、前記選択処理を再実行するべく各身体部分に関連付けられた前記選択された非接触式ＥＣＧセンサの現在の信号品質を連続的にモニタするように構成されている。
【請求項７】
請求項１のＤＰＭであって、異なる非接触式ＥＣＧセンサ間の相対的インピーダンス差と、各非接触式ＥＣＧセンサと前記人体との間の距離又は衣料タイプの相違による、各非接触式ＥＣＧセンサと前記人体との間の絶対的インピーダンスとを制御するように構成された自動利得制御機構を更に有する。
【請求項８】
請求項１のＤＰＭであって、更に、前記標準ＥＣＧ信号をデータネットワークを介して遠隔装置に送信するための有線／無線データポートを有する。
【請求項９】
遠隔／ローカル装置上での保存及び／又はビューイングのために人体の心電図（ＥＣＧ）信号を提供するシステムであって、当該システムは以下を有する：
‐非接触式ＥＣＧセンサのアレイを有するセンサパッド、
‐前記センサパッドに動作可能に接続されて前記非接触式ＥＣＧセンサから非接触式ＥＣＧ信号を受け取り、以下の工程を含む選択処理を実行するように構成されたプロセッサ、
・前記人体の近傍に位置する非接触式ＥＣＧセンサから受け取ったデータを使用して前記人体の身体輪郭を得る工程、
・前記ＤＰＭに組み込まれた規則セットを使用して前記身体輪郭に位置する一つ又は複数の身体部分を検出する工程、
・各検出された身体部分に非接触式ＥＣＧセンサのグループを関連付ける工程、
・各グループから当該グループの非接触式ＥＣＧセンサに関連付けられた前記身体部分に対する最高信号品質を有する非接触式ＥＣＧセンサを選択する工程、
前記プロセッサは、前記選択された非接触式ＥＣＧセンサから受け取った前記非接触式ＥＣＧ信号に基づいて標準ＥＣＧ信号を作り出すように構成されている、そして
‐前記標準ＥＣＧ信号を前記遠隔／ローカル装置に送信する出力部。
【請求項１０】
請求項９のシステムであって、前記センサパッドは、前記人体の近傍でかつ当該人体から距離を置いて、配置するための接地パッドを有し、当該接地パッドは、干渉を低減するために、前記人体に対する容量結合接地基準を提供するように構成されている。
【請求項１１】
請求項１０のシステムであって、各非接触式ＥＣＧセンサに対して前記容量結合接地基準を決定するためにＥＣＧ周波数帯域外の高周波数信号を前記接地パッドに提供するように構成された駆動信号発生器を更に有する。
【請求項１２】
請求項９のシステムであって、前記非接触式ＥＣＧセンサは以下を有する：
‐前記人体に容量結合されて、心臓の電気的活動を表す電荷を出力するように構成された容量電極、
‐前記容量電極によって作り出された前記電荷を検出し増幅するように構成されたエレクトロダイナミックセンサ、そして
‐前記エレクトロダイナミックセンサの入力部における浮遊干渉を低減するべく前記電極の近傍に物理的に提供される電極シールド。
【請求項１３】
請求項１２のシステムであって、前記非接触式ＥＣＧセンサは、フレキシブル材から形成されている。
【請求項１４】
請求項１２のシステムであって、前記センサパッドは、それを介して前記人体が接触する生地、又は、ゲル、シリコーン、ゴムタイプのパッド、およびマット、のいずれか一つに設けられている。
【請求項１５】
非接触式ＥＣＧセンサを利用して人体の心電図（ＥＣＧ）信号を提供する方法であって、当該方法は以下の工程を有する：
‐非接触式ＥＣＧセンサのアレイから非接触式ＥＣＧ信号を受け取る工程、
‐前記非接触式ＥＣＧセンサから受け取ったデータを使用して前記人体の身体輪郭を得る工程、
‐前記身体輪郭に位置する身体部分を検出する工程、
‐各検出された身体部分に非接触式ＥＣＧセンサのグループを関連付ける工程、
‐各グループから当該グループの非接触式ＥＣＧセンサに関連付けられた前記身体部分に対する最高信号品質を有する非接触式ＥＣＧセンサを選択する工程、
‐前記選択された非接触式ＥＣＧセンサから受け取った前記非接触式ＥＣＧ信号に基づいて標準ＥＣＧ信号を作り出し出力する工程。
【請求項１６】
請求項１５の方法であって、以下の工程を更に有する：
‐前記非接触式ＥＣＧセンサアレイ上の前記人体の位置を判定する工程、
‐前記非接触式ＥＣＧセンサをグループに分け、前記人体の前記身体輪郭と前記位置とを使用して各グループを一つの体部分に関連付ける工程、
‐各グループから、前記最高信号品質を有する前記非接触式ＥＣＧ信号を提供する前記非接触式ＥＣＧセンサを選択する工程。
【請求項１７】
請求項１６の方法であって、各非接触式ＥＣＧセンサと前記人体との間のインピーダンスを測定することによって、前記人体の近傍に位置する非接触式ＥＣＧセンサを識別する工程を更に有する。
【請求項１８】
請求項１５の方法であって、前記非接触式ＥＣＧセンサアレイに対する前記人体の動きに追従して所与の身体部分に対する別の非接触式ＥＣＧセンサを選択するために前記検出工程から前記選択工程を連続的に反復する工程を更に有する。
【請求項１９】
請求項１５の方法であって、以下の工程を更に有する：
‐各身体部分に関連付けられた前記選択された非接触式ＥＣＧセンサの現在の信号品質を連続的にモニタリングする工程、そして
‐前記非接触式ＥＣＧセンサアレイに対する前記人体の動きに追従して前記現在の信号品質が所与の閾値を超えて低下した時に、前記身体部分の少なくとも一つに対して別の非接触式ＥＣＧセンサを選択するために前記検出工程、前記関連付け工程及び前記選択工程を反復する工程。
【請求項２０】
請求項１５の方法であって、更に、異なる非接触式ＥＣＧセンサ間の相対的インピーダンス差と、各非接触式ＥＣＧセンサと前記人体との間の距離又は衣料タイプの相違による、各非接触式ＥＣＧセンサと前記人体との間の絶対的インピーダンスとを制御する工程を有する。
【発明の詳細な説明】
【技術分野】
【０００１】
（関連出願の相互参照）
本出願は、２０１５年９月２３日出願の米国仮特許出願６２／０５４１８９および２０１５年８月１８日出願の米国仮特許出願６２／２０６５４２に基づく優先権を請求するものであり、これらの出願の明細書をここに援用するものである。
【０００２】
（ａ）分野
本発明は、一般に、心電図システムに関する。
【背景技術】
【０００３】
（ｂ）関連従来技術
心電図（以下ＥＣＧという）は、過去の心電図からの変化を強制的に追加テストすることを余儀なくさせる心拍数、不整脈検出、安静時ＥＣＧ異常の唯一信頼性の高い測定方法である。
【０００４】
前記ＥＣＧは、多数の心臓性および非心臓性疾患のための医療に使用される基本的な診断および追跡スクリーニングツールの一つである。標準的な１２−誘導の心電図は豊富な情報を保持するが、それはデータを１０秒間しかキャプチャーしない。複数の誘導で長期モニタリングすれば更に多くの情報が提供され、心電図における変化に対するアクセスが改善される。
【０００５】
長期的モニタリングが欠如していることは複数の理由から重要な医療問題である。患者のファイルに基線心電図が欠如していることによって、しばしば、混乱と、彼らにとってはノーマルであるが、確立した基準によっては異常である、初めてのＥＣＧを受けた患者において不必要な追加試験が生じる。多くの場合、たとえ１０年前のものであったとしても感知された異常なＥＣＧと同じである古いＥＣＧが利用可能であるならば、追加の試験は不要となる。言い換えると、現在のＥＣＧを過去のものと比較できることは非常に医療上価値があることである。変化が無ければ試験の数が少なくなる。
【０００６】
接触式電極（患者の身体とのガルバニー接続を形成する電極）に依存する従来の心電図測定周波数は、ＥＣＧモニタリングが、即座に、非影響的に（ｕｎｏｂｓｔｒｕｓｉｖｅｌｙ）又は頻繁に必要とされる時には問題となる。従来の接触式電極では、正確な位置（したがって、形態（ｍｏｒｐｈｏｌｏｇｙ）と信号品質とを確保するために訓練されたヘルスケア提供者が清潔で準備された皮膚表面に配置することが必要とされる。標準的なウェットゲルの接触式電極を配置することの制約として、皮膚の反応を回避するためにそれらの時間制限内にそれらを身体に正確に配置し、それらを取り除くことが含まれる。
【０００７】
長期的なモニタリングを提供することができないことに加えて、それらの利用可能性は、以下に記載されるように更に制約を受ける。
【０００８】
理想的には、ＥＣＧは、特に、患者が医療上の注意を必要とする症状を有する場合、ルーチン的な医療訪問の一部としてすべての患者に対して行われるべきである。しかしながら、そのテストの利用可能性は限られている。その利用可能性は、ＥＣＧ機器のコストと、その誘導を患者に対して正しく載置するために患者に対してテストを行うために必要な技師がいないこととによって制限される。ＥＣＧのコストに関しては、大半の医師は、そのテストを現場で行うことには投資しない。病院においてさえ、テレメトリユニットは、大きな病院の患者全体に対して集中治療室の外部に位置する約６台〜１０台に限定される。
【０００９】
もう一つの欠点は、標準式電極には、ＥＣＧの適切で広範囲の利用を制約する複数の問題があることにある。これらの問題は以下のものである。
１．金属、ゲルおよび粘着剤反応によって電極が皮膚と反応するので、このことから入院中に複数回の交換が必要となる。
２．電極を正しく配置するための知識の欠如。
３．電極を配置するための時間。
４．電極が汗、患者の動き、不適切な配置等によって定期的に落ちる場合、等における、モニタリングの延長に関連する諸問題。
５．標準的電極を使用して導出されるＥＣＧは筋肉アーチファクトを発生させやすく、それによって虚偽のＥＣＧが生じる。
【００１０】
別の欠点は、標準電極によって得られる心電図は、労働および材料集約的であることにある。たとえ、一つのテレメトリユニットでも、標準電極を取り付け、再取り付けするために、一人の患者一日当たり看護時間の最大２−３時間もかかりうる。
【００１１】
更に別の欠点は、ＥＣＧは、ワイヤとそれらの看護病院スタッフとの接触と電極に対する頻繁な看護的配慮のために、病院での院内感染の拡散源となることにある。
【発明の概要】
【発明が解決しようとする課題】
【００１２】
従って、市場において、上述した欠点に対応するシステムと方法とが求められている。
【課題を解決するための手段】
【００１３】
実施形態では、患者の身体上の接触センサのための領域を手作業で識別、準備し、センサをそれらの領域に配置する必要性を無くすることによって、任意の患者又は人から、容易、非影響的かつ迅速に、ＥＣＧデータを頻繁かつ低コストでアクセス可能に記録することを可能にするＥＣＧシステムを記載する。ここに記載されるシステムは、非接触式であり、毎日又は恒久的に、複数時間のマルチ誘導モニタリングを可能にすることによって、接触式電極に関連する問題を回避するものである。
【００１４】
一つの態様において、非接触式ＥＣＧセンサを使用して人体の心電図（ＥＣＧ）信号を提供するための医療装置（ＤＰＭともいう）が提供され、これは、非接触式ＥＣＧセンサのアレイから非接触式ＥＣＧ信号を受け取るように構成された入力部と、前記非接触式ＥＣＧセンサアレイの近傍に位置する身体部分の検出、非接触式ＥＣＧセンサのグループと各検出された身体部分との関連付け、各グループからの、最高信号品質を有する非接触式ＥＣＧセンサの選択、を含む選択処理を行うように構成されるともに、各選択された非接触式ＥＣＧセンサの受信された前記非接触式ＥＣＧ信号に基づいて標準ＥＣＧ信号を発生するように構成されたプロセッサ、そして前記標準ＥＣＧ信号を送信するための出力部とを有している。
【００１５】
前記医療装置は、２ポンド未満の重量の軽量なポータブル装置として構成することができる。
【００１６】
一実施形態において、前記選択処理は、前記人体の近傍に位置する前記非接触式ＥＣＧセンサに関連付けられた前記非接触式ＥＣＧ信号を使用して前記人体の身体輪郭を得る工程と、前記人体の前記非接触式ＥＣＧセンサアレイ上の位置を判定する工程と、前記非接触式ＥＣＧセンサをグループに分け、前記人体の前記身体輪郭と前記位置とを利用して各グループを一つの身体部分に関連付ける工程と、各グループから、前記最高品質を有する非接触式ＥＣＧ信号を提供する前記非接触式ＥＣＧセンサを選択する工程、とを更に有する。
【００１７】
一実施形態において、前記プロセッサは、各非接触式ＥＣＧセンサと前記人体との間のインピーダンスを測定することによって前記人体の近傍に位置する前記非接触式ＥＣＧセンサを識別するものとすることができる。
【００１８】
別の実施形態において、前記医療装置は、前記非接触式ＥＣＧセンサアレイに対する前記人体の動きに追従して所与の身体部分に対して別の非接触式ＥＣＧセンサを選択するように構成することができる。更に別の実施形態において、前記プロセッサは、前記別の非接触式ＥＣＧセンサの選択工程を行うために、前記選択処理を連続的に再実行するように構成することができる。前記プロセッサは、更に、前記信号品質が所与の閾値を超えて低下した時に、前記選択処理を再実行するべく、各身体部分に関連付けられた前記選択された非接触式ＥＣＧセンサの信号品質を連続的にモニタリングするように構成することができる。
【００１９】
前記医療装置は、前記非接触式ＥＣＧ信号から生じる第１標準ＥＣＧ信号を出力する非接触式モードと、前記非接触式ＥＣＧ信号と従来の接触式電極から受け取られる従来式ＥＣＧ信号とから得られる第２標準ＥＣＧ信号を出力するハイブリッドモードと、従来式接触式電極から受け取られる従来ＥＣＧ信号から得られる第３標準ＥＣＧ信号を出力するバイパスモード、とを含む異なる作動モードを有するものとすることができる。
【００２０】
前記医療装置は、異なる非接触式ＥＣＧセンサ間の相対的インピーダンス差と、各非接触式ＥＣＧセンサと前記人体との間の距離又は衣料タイプの違いによる各非接触式ＥＣＧセンサと前記人体との間の絶対的インピーダンス、とを制御するように構成された自動利得制御機構を更に備えることができる。
【００２１】
前記標準ＥＣＧ信号をデータネットワークを介して遠隔装置に送信するために有線／無線データポートを設けることができる。
【００２２】
別の態様において、非接触式ＥＣＧセンサを使用して人体の心電図（ＥＣＧ）信号を提供するためのシステムであって、当該システムは、非接触式ＥＣＧセンサのアレイを有するセンサパッドと、前記センサに動作可能に接続されるとともに、前記非接触式ＥＣＧセンサから非接触式ＥＣＧ信号を受け取って、前記非接触式ＥＣＧセンサアレイの近傍に位置する身体部分を検出する工程と、非接触式ＥＣＧセンサのグループを各検出された身体部分に関連付ける工程と、各グループから、最高信号品質を有する非接触式ＥＣＧセンサを選択する工程と、を含む選択処理を行うように構成されるとともに、各選択された非接触式ＥＣＧセンサの前記非接触式ＥＣＧ信号に基づいて標準ＥＣＧ信号を作り出すように構成されたプロセッサと、前記標準ＥＣＧ信号を送信するための出力部とを有する。
【００２３】
一実施形態において、前記センサパッドは、前記人体の近傍でかつ人体から離間して配置するための接地パッドを有し、当該接地パッドは、干渉を低減するために前記人体に対する容量結合接地基準を提供するように構成されている。
【００２４】
別の実施形態において、前記接地パッドは、前記非接触式ＥＣＧ信号から導出されるフィードバック信号によって駆動することができる。
【００２５】
前記システムは、各非接触式ＥＣＧセンサに対して前記容量結合接地基準を決定するためにＥＣＧ周波数帯域外の高周波数信号を前記接地パッドに供給するように構成された駆動信号発生器を更に備えることができる。
【００２６】
一実施形態において、前記非接触式ＥＣＧセンサは、前記人体に容量結合されて、心臓の電気的活動を表す電荷を出力するように構成された容量電極と、前記容量電極によって作り出された前記電荷を検出し増幅するように構成されたエレクトロダイナミックセンサと、前記エレクトロダイナミックセンサの入力部の浮遊干渉を低減するために前記電極の近傍に物理的に設けられた電極シールドとを備えることができる。
【００２７】
前記非接触式ＥＣＧセンサは、フレキシブル材から形成することができる。
【００２８】
一実施形態において、前記センサパッドは、前記人体が接触する生地に設けることができる。
【００２９】
別の態様において、非接触式ＥＣＧセンサを用いて人体の心電図（ＥＣＧ）信号を提供する方法が提供され、当該方法は、非接触式ＥＣＧのアレイから非接触式ＥＣＧ信号を受け取る工程と、前記非接触式ＥＣＧセンサアレイの近傍に位置する身体部分を検出する工程と、非接触式ＥＣＧセンサのグループを各検出された身体部分と関連付ける工程と、最高信号品質を有する非接触式ＥＣＧセンサを、各グループから選択する工程と、各選択された非接触式ＥＣＧセンサの前記非接触式ＥＣＧ信号に基づいて標準ＥＣＧ信号を作り出す工程とを有する。
【００３０】
前記方法は、前記人体の近傍に位置する前記非接触式ＥＣＧセンサに関連付けられた前記非接触式ＥＣＧ信号を使用して前記人体の身体輪郭を得る工程と、前記人体の前記非接触式ＥＣＧセンサアレイ上の位置を判定する工程と、前記非接触式ＥＣＧセンサをグループに分け、前記人体の前記身体輪郭と前記位置とを利用して各グループを一つの身体部分に関連付ける工程と、各グループから、前記最高品質を有する非接触式ＥＣＧ信号を提供する前記非接触式ＥＣＧセンサを選択する工程、とを更に有する。
【００３１】
一実施形態において、前記方法は、各非接触式ＥＣＧセンサと前記人体との間のインピーダンスを測定することによって前記人体の近傍に位置する前記非接触式ＥＣＧセンサを識別する工程を更に有する。
【００３２】
前記方法は、更に、前記非接触式ＥＣＧセンサアレイに対する前記人体の動きに追従して、所与の身体部分に対して別の非接触式ＥＣＧセンサを選択するために、前記検出工程から前記選択工程を連続的に反復することができる。一実施形態において、各身体部分に関連付けられた前記選択された非接触式ＥＣＧセンサの信号品質を連続的にモニタリングして、前記非接触式ＥＣＧセンサアレイに対する前記人体の動きに追従して、信号品質が所与の閾値を超えて低下した時に、所与の身体部分に対して別の非接触式ＥＣＧセンサを選択するために前記検出工程から前記選択行程を反復することが可能である。
【００３３】
下記の用語を次のように定義する。
【００３４】
前記誘導という用語は、ＰＱＲＳＴＵ波形を提供し示す人体上の二つの位置の間の測定電圧の差を意味するものとする。
【００３５】
前記ＥＣＧ誘導という用語は、人体上の二つの医学的に定義される位置の間の測定電圧の差に基づく医学的に定義されたＥＣＧ信号を意味するものとする。
【００３６】
標準ＥＣＧ信号は、既存の医療機器とインターフェースし、ＥＣＧ標準に適合するＥＣＧ信号である。標準ＥＣＧ信号は、単一のリズムストリップ又は、任意の数の標準の医学的に定義されたＥＣＧ誘導を含むことができる。
【００３７】
リズムストリップは、前記ＰＱＲＳＴＵ波形間のリズムを示す任意の誘導である。前記リズムストリップは、前記ＥＣＧ信号が前記医学的定義されたＥＣＧ位置から採取されるものであることを要件としない。
【００３８】
添付の図面に図示されている、選択された実施形態の以下の詳細説明を参照することによって本発明の特徴および利点はより明らかになるであろう。理解されるように、ここに開示されクレームされる発明は、請求項の範囲から逸脱することなく、様々な点において改造が可能である。従って、これらの図面および説明は、本来的に例示的なものと見なされるべきであって、限定的なものと見なされてはならず、本発明の完全な範囲は請求項に記載されている。
【００３９】
本開示のその他の特徴および利点は、添付の図面を参照して、以下の詳細説明から明らかになるであろう。
【００４０】
尚、これら添付の図面全体を通じて、同様の特徴構成は類似の参照番号で示されている。
【図面の簡単な説明】
【００４１】
【図１】一実施形態による例示的ＥＣＧシステムのブロック図である。
【図２】一実施形態によるセンサマトリクスの非限定的例を示す図である。
【図３】一実施形態による選択アルゴリズムによって実行される主要な工程を示すフローチャートである。
【図４】一実施形態によるシステムを使用して患者に関して得られた全ＰＱＲＳＴＵ波形の具体例を示す図である。
【図５】前記センサアレイがいかにして患者の皮膚と直接的に接触することなくＥＣＧ信号を捕捉するかを示す図である。
【図６】一実施形態による、非接触式ＥＣＧセンサの例示的センサ構成を示すブロック図である。
【図７】一実施形態による、非接触式ＥＣＧセンサの物理的構成の具体例を示す図である。
【図８】一実施形態によるシステムの全体構成の例示的ブロック図を示す図である。
【図９】一実施形態による例示的利得制御機構を示すブロック図である。
【図１０】一実施形態によるＲＬＤ発生器の機能を示す例示的ブロック図である。
【図１１】標準ＥＣＧ誘導を得るための医学的に認識されたＥＣＧ位置を示す図である。
【図１２】標準ＥＣＧ誘導の具体例を示す図であり、各誘導は人体上の二つの位置の間のベクトルとして図示されている。
【図１３ａ】前記システムがいかにして患者の身体輪郭を判定するかの具体例を示す図である。
【図１３ｂ】前記システムがいかにして患者の身体輪郭を判定するかの具体例を示す図である。
【図１４】非接触式ＥＣＧセンサを用いて人体の心電図（ＥＣＧ）信号を提供する方法のフローチャートである。
【発明を実施するための形態】
【００４２】
既存の医療機器への出力（更に、新規／専用モニタへの出力、又は、計算装置と連動するディスプレイ装置上でのビューイング）のため、或いは、遠隔／ローカル装置上での保存又はビューイングのために非接触式ＥＣＧセンサを用いて人体の標準心電図（ＥＣＧ）信号を提供するシステムである。当該システムは、生地等に設けられた非接触式ＥＣＧセンサのアレイに接続されるように構成されたデジタル処理モジュール（ＤＰＭ）を有する。前記ＤＰＭには、当該ＤＰＭが、異なるＥＣＧセンサのＥＣＧ信号を使用して身体部分を識別し、各身体部分に対して、最善のセンサ誘導を選択することを可能にするための選択機構が組み込まれている。これにより、前記ＤＰＭは、検出された異なる身体部分に対して選択されたＥＣＧ信号を使用して前記標準ＥＣＧ信号を作り出すことができる。前記システムは、前記身体部分の動きに追従して所与の身体部分に対して最善な誘導が選択されることを保証するために前記選択を連続的に再検査し、それによって患者の連続的で中断されないＥＣＧモニタリングを可能にするように構成されている。
【００４３】
本発明の範囲を限定するのではなく、それを例示するために提供される下記の例を参照することによって本発明はより良く理解されるであろう。
【００４４】
次に図面を参照すると、図１は、一実施形態による例示的ＥＣＧシステム２００のブロック図である。図１に図示されているように、前記システム２００は、（非限定的具体例では）センサパッド７に設けられた非接触式センサのアレイと、当該センサアレイに動作可能に接続され、ケーブル９を使用して前記パッド７に設けられた前記センサからのセンサ読み取り値を得るデジタル処理モジュール（ＤＰＭ）２とを有する。当該ＤＰＭ２は、心臓の電気生理学的活動（体表面電位マップ）を記録し、同時に、前記既存医療機器（６）へ標準ＥＣＧ信号（＋前胸部後方（＋ｐｏｓｔｅｒｉｏｒ  ｐｒｅｃｏｒｄｉａｌｓ））を出力するために最善の電極／センサを識別するように構成することができる。前記ＤＰＭは、データを医師に対して容易にリアルタイムで入手可能とし医師がＤＰＭ２によって検出された不整脈および虚血性変化を迅速に診断できるようにインターネット又はデータネットワークを介してモバイル装置（３）又はクラウド（４）に接続することができる。
【００４５】
非限定的例において、前記ＤＰＭ２は、重量が約２ポンド以下で、前記連続ＥＣＧモニタリング行うために持ち運び可能な軽量なポータブル医療装置として提供することができる。
【００４６】
上述したように、前記ＤＰＭ２は、その出力信号が標準接触式ＥＣＧシステムによって得られるものと同じものとなって、既存の医療機器６をプラグ・アンド・プレー式に使用してビューイング／読み取りが可能となるように（それによってＤＰＭから受け取られる前記標準ＥＣＧ信号を読み取って出力するために前記既存医療機器に対してなんら変更を加えることがない）、既存の医療標準に準拠する信号を作り出すように構成することができる。前記ＤＰＭ２は、既存の医療機器６を使用して同時に読み取り可能な信号を出力するための標準ケーブル（８）を受け入れるように構成されたデータ出力プラグを備えることができる。前記ＤＰＭ２は、更に、もしも標準中継ケーブル５が取り付けられた場合に接触式ＥＣＧ情報を同時に記録することが可能なように構成することもできる。
【００４７】
但し、前記ＤＰＭ２は、それ自身のディスプレイ装置を内蔵したり、或いは、それに連動されるように構成したり、前記標準ＥＣＧ信号をローカル／遠隔パーソナルコンピュータ又はポータブル装置上で利用可能とするべく通信／データネットワークを介して前記標準ＥＣＧ信号を送信／ストリーミングするように構成することも可能である。
【００４８】
尚、図１は非限定的例を図示するものであることが銘記される。請求項に定義されている本発明の範囲から逸脱することなく前記システム２００に対して改造が可能である。例えば、図１は、異なるモジュール間でデータを通信するためのケーブルを図示しているが、Ｗｉ−Ｆｉ、Ｂｌｕｅｔｏｏｔｈ等を含め、但しそれらに限定されることなく、無線接続を使用することも考えられる。
【００４９】
更に、前記センサアレイは、衣服、ベッドおよび車両装置／コンポーネントを含むその他さまざまな物体に設けることができる。別の例において、前記センサアレイは、家具（たとえば、椅子、ベッド／マットレス／カバー、ソファー、シート、マットレス）、車載装置（たとえば、ヘッドレスト、ハンドル等）、ウェアラブルデバイス（たとえば、ジャケット、シャツ、Ｔシャツ、セーター、ブラジャー等）を含むがそれらに限定されない複数の装置に設けることができる。
【００５０】
＜選択アルゴリズム＞
従来のＥＣＧでは、患者の生理機能に基づいて電極位置が決まり、それによって、従来の接触式電極は、これらの位置に付着され、患者の動きに拘らず相対的な身体位置を維持する。例えば、図１１に例示されているように、Ｖ１電極は、胸骨の右側の第４肋間腔に配置されるべきであり、ＲＡ電極は、右腕に配置されるべきであり、ＬＡ電極はＲＡと同じ位置であるが、左腕に配置されるべきであり、ＲＬ電極は、右脚、側方腓腹に配置すべてきである、等々。これらの電極とそれらの位置との重要性は、二つの特定の位置の間の電圧差が、医学的に定義されるＥＣＧ誘導を表し（図１１および１２に関して記載されるように）、心電図の誘導は、それに沿って心臓の脱分極が測定され記録されて心電図が作り出されるベクトルを表すという事実にある。
【００５１】
従って、従来のＥＣＧ標準に適合するＥＣＧ信号を作り出すためには、データは非接触式に収集されるが、同じ原理に従うことが必要である。
【００５２】
図２は、実施形態によるセンサマトリクス２００の非限定的例を図示している。図２に図示されているように、前記マトリクス２００は、マトリクス配置されたセンサ１０のｎ個の列、ｍ個の行を有し、これにより、患者がこのマトリクス２００上でいかに位置しようとも、従来式ＥＣＧ電極の物理的配置に対応する患者の身体上の位置に少なくとも１つのセンサが常に存在するように構成されている。前記ＤＰＭ２に組み込まれた適応アルゴリズムを使用して、患者の身体上の所定のＥＣＧ位置に対応する所与のセンサ１０を前記マトリクス２００が選択することによって連続的ＥＣＧ読み取り値を得ることができる。
【００５３】
図３は、一実施形態による、前記選択アルゴリズム２０４によって実行される主要な工程を示すフローチャートである。工程２１０において、前記アルゴリズムは、各センサ１０と患者との間のインピーダンスを測定することによってどのセンサ１０が患者の身体の近傍にあるかを検出する。これによって、そこからデータを得るために使用可能なセンサ１０の検出が可能となる。次に、患者の身体輪郭を得るために、これらのセンサ１０（身体の近傍にあると判定されるもの）によって出力されるＥＣＧ信号を分析する。
【００５４】
非限定的具体例において、前記実施形態は、身体輪郭を得るために異なるタイプの情報を利用することができる。第１のタイプは、身体とセンサとの間の距離を表す結合インピーダンスである。結合インピーダンスが高すぎる場合は、センサは身体から離れすぎており、使用することができない。第２のタイプは、その信号自身、たとえば、信号の形態と、いかにその信号が通常のＥＣＧパターンを有するように見えるか否か（ＰＱＲＳＴＵ波形）である。第３のタイプの情報は、良好なＥＣＧ信号を提供するＥＣＧセンサの幾何学的位置である。これらのセンサとそれらの位置とによって、図１３ａと１３ｂとに例示されているように、人体の幾何学的形状に関する指示が提供される。図１３ａの例において、ユーザ２５０がセンサパッド２０２が埋め込まれたマットレスに横たわっていると仮定すると、この患者の身体の近傍にあるセンサ１０ａが良好なＥＣＧ信号を得るのに対して患者の身体の外側にあるセンサ１０ｂは、良好な信号を得ない。この情報と、前記パッド２０２上の各センサの位置とに基づき、前記ＤＰＭ２は、患者身体の輪郭２５２を得ることができ、ここから、前記ＤＰＭ２は、図１３ｂに例示されているように、患者身体の形状、幅、その他の寸法を得ることができる。次に、この情報と、前記ＤＰＭ２に組み込まれた規則セットとを使用して、前記ＤＰＭ２は、身体部分の位置を検出／判定し、下記するように、ＥＣＧ目的のために、単数又は複数のセンサ１０を各身体部分／身体位置と関連付けることができる。
【００５５】
工程２１２において、前記アルゴリズムは、前記センサから受け取ったＥＣＧ信号を分析し、これを既に検出済みである身体輪郭と組み合わせて、前記パッド上の患者身体の位置を見出す。工程２１４において、前記アルゴリズムは、身体上のどこに各センサ１０が位置しているかのマッピングを工程２１０および２１２から得た前記情報を利用して行う。センサのグループがＥＣＧ目的の各主要な身体部分（右腕、左腕、等）の近傍に見出されると、工程２１６において、これらの隣接するセンサからの信号を比較、フィルタリングして、前記各身体部分に対してＥＣＧデータを受け取って記録するための最善のＥＣＧ信号を有する単一のセンサを選択する。
【００５６】
一実施形態において、前記ＤＰＭ２は、患者の動きを常に考慮に入れるべく前記最善のＥＣＧ読み取り値を有する前記センサ１０の選択を再検証し、それによってその動きの前に選択されたものよりも良好な読み取り値を有する新たなセンサ１０を選択可能とするべく前記センサ１０から得られた読み取り値をリアルタイムで再検査するために前記選択アルゴリズム２０４を連続的かつ動的に実行するように構成することができる。
【００５７】
別の実施形態において、前記システムは、患者が動いた時を検出すると共に、新たな選択を行う必要があるか否かを再度計算するために前記アルゴリズムを再び実行することが必要な時を判断する。例えば、前記システムは、前記信号の強度／品質をモニタリングし、前記信号品質が所定の閾値以下に低下した時に前記選択アルゴリズム２０４を再実行するように判断することができる。
【００５８】
＜ＰＱＲＳＴＵ波形の検出＞
上述したように、前記システムは、心臓電気生理学的活動とＥＣＧとを記録するように構成することができる。具体的には、前記システムは、一実施形態によるシステムを使用して患者から得られた全ＰＱＲＳＴＵ波形の具体例を図示する図４に例示されているように、前記ＰＱＲＳＴＵスペクトル構成ＥＣＧ波形を得るように設計することができる。図４に図示されている前記ＰＱＲＳＴＵ波形は、心臓によって発生され、診断のために医師によってビューイングされるべく前記システムによって捕捉される。一実施形態において、前記システムは、前記ＥＣＧ読み取り値を獲得し、これらを処理して既存の医療機器によって読み取り、ビューイングが可能なＥＣＧ信号を作り出すと共に、標準的な接触式ＥＣＧシステムによって作り出されるものと同じであって、従って、すべての用途のために標準式ＥＣＧシステムの代わりに使用可能である波形を作り出す。
【００５９】
勿論、前記非接触式センサ１０は、既存の医療機器（たとえば、モニタ等）と互換性のある出力を作り出すものではなく、従って、これらの機器とインターフェースすることは不可能であって、それ故、更なる処理を必要とする。一実施形態において、前記ＤＰＭは、獲得された信号を、既存の医療機器のための国際基準に準拠するフォーマットに変換する。これによって、既存の診断医療装置を交換する必要なく、又は、医師および医療従事者を再訓練する必要なく、従来の接触式ＥＣＧシステムのシームレスな交換が可能となる。このような変換は、デジタル信号処理と、Ｄ／Ａ変換段階（１９）においてアナログ出力回路との組み合わせを利用して前記ＤＭＳ２において行うことができる。
【００６０】
＜センサ構成＞
上述したように、前記実施形態は、非接触式ＥＣＧセンサ１０を利用して患者のＥＣＧ読み取り値を得る。これらセンサ１０は、具体的には、患者の皮膚との直接的な電気的接触無く、患者から高品質のＥＣＧを捕捉するように特に構成されている。これによって、たとえば、いかにして前記センサアレイが患者の皮膚と直接的に接触することなくＥＣＧ信号を捕捉するかの具体例を図示する図５に例示されているように、前記センサ１０を、患者から距離を置いて、および／又は、衣服や寝具、等の生地を介して患者の身体から分離して配置することが可能となる。
【００６１】
図６は、一実施形態による例示的センサ構成を図示するブロック図である。この図６に図示されているように、前記センサ１０は、導電性電極３３と、電極シールド３２と、増幅器３４とバイアス回路３５電圧とを含むエレクトロダイナミックセンサとを備えることができる。図６の例示構成において、前記利得／電流緩衝増幅器３４をネガティブフィードバックトポロジーに使用することができ、入力バイアスネットワーク３５は、獲得したＥＣＧの信号品質を保持するために前記増幅器３４の有効入力インピーダンスを増大させるように構成される。前記エレクトロダイナミックセンサの入力は、前記導電性電極３３に接続される。前記エレクトロダイナミックセンサの入力に見られる寄生キャパシタンスを低減することによってＳ／Ｎ比（ＳＮＲ）を更に増大するべく前記電極シールド（３２）に接続されるフィードバック信号を発生するためにシールド駆動回路（３６）を使用することができる。
【００６２】
前記電極３３は、皮膚／身体の近傍にあるが、それに触れないことによって患者の身体に対して容量結合することができる。これは、着服したままで、（非限定的具体例として）センサ１０のアレイを埋め込んだベッドに横たわることによって達成することができる。心臓の電気活動から作り出される患者の皮膚の近傍の電界によって直接的に電気接触することなく前記導電性電極３３上に電荷が容量的に誘導される。その後、この電荷を前記エレクトロダイナミックセンサによって収集増幅することができ、これがその位置での心臓の電気的活動（完全なＰＱＲＳＴＵ）を表す電気信号（電圧）を作り出す。
【００６３】
前記電極シールド３２は。前記エレクトロダイナミックセンサが受ける浮遊干渉の量を低減するとともに、前記増幅器３４の入力における有効キャパシタンスを減少させ、それによって前記獲得ＥＣＧの信号品質を保持することに役立つように構成されている。
【００６４】
非限定的具体例において、前記電極３３と前記電極シールド３２との両方を、前記センサ１０が人体の幾何学的形状によりよく適合して、より良好なＥＣＧ読み取り値を得ることを可能にする弾性／フレキシブル材から形成することができる。同時に、この構成によって、前記センサ１０を、その内部で前記センサアレイが配置される生地（又は、ゲル／シリコーン／ゴムタイプのパッド／マット、等）にシームレスに設けることが可能となる。
【００６５】
図７は、前記センサ１０の物理的構造の一例を図示している。図７に例示されているように、この物理的構造は、層３９として物理的に実施される前記導電性電極３３と、前記層４０として物理的に実施される前記シールド３２と、前記層４１に埋め込まれた前記回路の残り部分とを含む。前記構造全体を、たとえば、プリント回路基板とすることが可能な基材３７上に形成することも可能である。図７に図示されている構成において、前記層３９，４０，４１は、絶縁層３８によって互いに絶縁されて電気的絶縁を提供することができる。
【００６６】
図８は、実施形態によるシステムの全体構成の例示的ブロック図を示している。
【００６７】
図８を参照すると、そして、図１に関して上述したように、前記システムは、図２に図示されているもののようなアレイ２０２の形状で設けることが可能な非接触式ＥＣＧセンサ（以後、ＣＥＣＧセンサ１０と称する）を含むセンサパッド７を備えることができる。当該センサパッド７は、更に、接地パッド１５と、駆動回路、たとえば、右脚駆動（ＲＬＤ）発生器１４（後述する）と、Ａ／Ｄコンバータ１３とを備えることができる。前記センサパッド７は、前記センサ１０のデジタル化されたＥＣＧ読み取り値を前記ＤＰＭ２に出力する。前記ＲＬＤ発生器１４は、前記接地パッド１５に、前記ＥＣＧ周波数帯域外高周波信号を供給するように構成されている。この高周波信号は、その後、患者の身体を介して前記ＣＥＣＧセンサに結合され、ここで、その振幅が前記ＤＰＭ２によって記録され分析される。これによって、システムに対して、各センサが患者に対していかに良好に結合されるか、各センサからの信号品質がどのようなものなのかを判断するためのインピーダンス測定、メトリックが提供される。
【００６８】
前記デジタル化されたＣＥＣＧセンサデータの他に、前記ＤＰＭ２は、更に、従来式電極のアナログ形態の標準ＥＣＧデータを受け取るようにも構成することができる。そのようなアナログ式ＥＣＧデータは、オプションとして、標準接触式電極と中継ケーブル（５）とを使用することによって獲得される。前記アナログ信号は、ＡＤＣ１７を使用して変換することができる。次に、前記信号は、デジタル信号処理ユニット１８を使用してフィルタリングすることができ、様々な有線および無線インターフェースを介して出力される（Ｗｉ−Ｆｉ（２２）／イーサネット（２３）を介してモバイルアプリ（３）／クラウドサーバ（４）へと出力され、および「アナログＣＥＣＧ＆ＥＣＧ出力」インターフェースを介して既存の医療機器（６）へと出力される。）。
【００６９】
前記ＤＰＭ２は、ＥＣＧデータの保存のために（必要な場合）なんらかの非揮発性メモリ、たとえば、フラッシュメモリ２６を備えることができる。前記ＤＰＭ２は、更に、急性の問題のための診断を実行し、前記通信インターフェースのいずれかを介して、又は内蔵の音声アラーム（２４）によって警告を送るように構成することも可能である。前記ＤＰＭ２は、更に、ユーザによってモバイル装置を介した設定を可能にするためにブルートゥースローエナジーインターフェース（２１）を備えることも可能である。固有識別子を格納するために、読み取り専用メモリ（２５）を設けることも可能である。前記通信インターフェースを介して送信／受信されるデータを暗号化および復号化し、このデータの暗号化のためのキーを安全に記憶しておくために暗号処理モジュール（２７）を設けることも可能である。
【００７０】
全てのセンサデータ（非接触式と接触式）を前記有線および無線インターフェースを介して送信することができる。（図３において上述した）前記選択アルゴリズム２０４は、どのセンサ情報を前記アナログインターフェース１９を介して既存医療機器に出力すべきかを判定する。前記従来式電極から受け取られるアナログデータと前記非接触式センサ１０間を切り替え、前記ＤＰＭ２がこれらの二つを比較することを可能にするためのリレー２０を設けることができる。ＤＰＭ２を、所望の場合、前記接触ＥＣＧ信号に影響を与えることなく、パススルーケーブル等のように作用するために作動停止するように構成することができる（前記処理ユニットとリレー（２０）とによって制御される）。それは、又、「ハイブリッドモード」で作動することもでき、このモードでは、もしもそれによって前記ＥＣＧ信号の品質が改善させるのであればＣＥＣＧとＥＣＧセンサとの組み合わせを、前記アナログインターフェースを介して出力することができる。
【００７１】
＜自動利得補正＞
前記電気生理センサの大きな、但し有限である入力インピーダンスにより、各センサ１０と患者の身体との間の容量結合における変動（たとえば、各センサと身体との間の距離の変化）によって各センサチャネルの利得の変動を引き起こす可能性がある。これは、完全に乾燥した接触粘着性電極が新しい電極よりも低質な信号を作り出すのと同様に、ＥＣＧ誘導の振幅に影響を与える作用を有する。この問題に対応するために、前記システムが異なる非接触式ＥＣＧセンサ間の相対的インピーダンス差と、各非接触式ＥＣＧセンサと人体との間の距離の差による各非接触式ＥＣＧセンサと人体との間の絶対的インピーダンスとを制御することを可能にする利得制御機構が設けられる。図９に図示されているように、前記センサ１０と患者との間の結合の差によって引き起こされる利得の変化をオフセットするために各センサチャンネル４２にプログラマブル利得増幅器４３（アナログ式又はデジタル式）が設けられる。図９は、一実施形態による例示的な利得制御機構を図示するブロック図である。図９に図示されているように、前記利得制御機構２２０は、前記ＰＧＡ４３と、前記変化が生じている時にその利得をリアルタイムで制御するためにそれ自身が前記ＰＧＡ４３に接続されているプロセッサ４５との間に結合されたＡＤＣ４４を含むフィードバックループを備えることができる。
【００７２】
前記プロセッサ４５は、専用のプロセッサであってもよいし、或いは、前記ＤＰＭ２の処理ユニット１８に組み込まれたプロセッサモジュールであってもよい。
【００７３】
＜右脚ドライブ＞
図８に戻ると、作動時においては、患者の身体の近くで、但し、接触はしない（距離がある）状態で配置されるべき接地パッド１５が図示されている。このパッドは、前記ＥＣＧ信号から導出されるフィードバック信号によって駆動されて、患者の身体に対する容量結合接地基準を提供する。前記フィードバック信号は、前記システムのコモンモード除去比（ＣＭＲＲ）を増大させる（通常は、１０ｄＢ以上）ように導出される。これによって、コモンモード信号からの干渉が低減され、獲得ＥＣＧの信号品質が保持される。
【００７４】
図１０は、一実施形態による前記ＲＬＤ発生器１４の機能を図示する例示的ブロック図である。図１０に図示されているように、前記センサから受け取られたデータは、前記処理ユニット（１８）においてデジタルで実行されるＲＬＤアルゴリズムを使用して、データを得るための特定のセンサ１０を選択するスイッチングマトリクス（２９）を使用して選択される（又は切り捨てられる）。次に、これらの信号を合計し（２９）、反転し増幅する（３０）。これが前記接地パッド１５のための前記駆動信号を構成する。
【００７５】
前記ＲＬＤアルゴリズムは、各センサから獲得されるコモンモード信号（又、その拡張として、選択アルゴリズムから出力されたＥＣＧ信号）をモニタリングするように構成されている。前記ＲＬＤアルゴリズムによって、前記ＲＤＬ信号が前記フィードバックコンフィグレーションにおいて前記患者に適用された後で前記システムの前記コモンモード除去比を増大させるセンサのセットを選択することができる。
【００７６】
＜獲得誘導＞
上述したように、現在のＥＣＧを過去のものと比較できることには非常に大きな医学的価値があるが、これは、長期モニタリングを可能としない既存システムでは不可能である。例えば、異常ＥＣＧは急性心臓疾患を証明するものではなく、正常ＥＣＧは、心臓疾患を排除するものではない。従って、新しいＥＣＧを過去に行われたＥＣＧと比較することが必要である。ここでホールマークとしては以下を含むことができる。
・リズムに変化があるか？
・周波数に変化があるか？
・伝導時間に変化があるか？
・心軸に変化があるか？
・新しい病理的Ｑ’ｓがあるか？
・Ｒ波サイズに変化があるか？
・ＳＴに変化があるか？
・Ｔ波に変化があるか？
【００７７】
上記変化の結果、即座に更なる調査が行われる。心電図の変化は、更に、急性と慢性に分類することができるが、但し、両方とも比較心電図を必要とする。
【００７８】
一般に、使用される電極の数が増えるにつれて、可能なモニタリング時間は減少する。一般に、現在の基準の一つの大きな制約は、複数の電極を配置してそれらを身体上に維持することに内在する制約によるところの複数の電極で長期モニタリングを得ることの困難性である。
【００７９】
上述したシステムは、複数の心電図を連続して比較することを初めて可能にするものである。当該システムは、後部（ｐｏｓｔｅｒｉｏｒ）ＥＣＧ誘導を獲得するものであることが判っている。改造Ｍａｓｏｎ−Ｌｉｋａｒ誘導システムに依れば、１６誘導ＥＣＧをマットレス、椅子、等に埋め込まれた前記センサマトリクス上に横たわる患者から獲得することができる。獲得される誘導は、図１１および１２に例示されているように、誘導Ｉ， ＩＩ， ａＶｒ， ａＶｌ， ａＶｆ， Ｖ１， Ｖ１Ｒ， Ｖ２， Ｖ２Ｒ， Ｖ３， Ｖ３Ｒ， Ｖ４， Ｖ４Ｒ， Ｖ５， Ｖ５Ｒを含む。図１１は、標準ＥＣＧ誘導を得るための医学的に認識されたＥＣＧ位置を図示し、図１２は、標準ＥＣＧ誘導の具体例を図示しており、これら各誘導は、人体上の二つの位置の間のベクトルとして図示されている。
【００８０】
前記センサ１０を含む前記パッドは、ＥＣＧデータが後部（ｐｏｓｔｅｒｉｏｒ）誘導、たとえば、腹臥位、から得られるようにマットレスの下に気づかれない状態で配置することができる。前記システムは、ストレステスト中のＥＣＧ獲得のために使用されるＭａｓｏｎ−Ｌｉｋａｒセンサ配置に基づくものとすることができる。標準１２誘導ＥＣＧ配置は、筋電位、動き、アーチファクト、等のために使用されず、１０秒１２誘導ＥＣＧプリントアウトに限定され、短時間又は長時間モニタリング用には実用的でない。
【００８１】
後部配置された電極は、ＥＣＧ獲得の一般に受け入れられた方法であって、事実、より一般的に使用されている前部誘導配置方法に対するある種の状況における補助として使用される。前部誘導配置は、現在において、その便利さから使用される唯一のタイプの誘導配置である。しかしながら、腹臥位ＥＣＧ誘導は、ある種の状況においては、標準電極で行われるが、その固有の困難により、一般的ではない。
【００８２】
図１４は、非接触式ＥＣＧセンサを使用する人体の心電図（ＥＣＧ）信号を提供する方法のフローチャートである。図１４に図示されているように、前記方法２６０は、非接触式ＥＣＧセンサのアレイから非接触式ＥＣＧ信号を受け取ることによって工程２６２から始まる。工程２６４は、前記非接触式ＥＣＧセンサアレイの近傍に位置する人体部分を検出することを含む。工程２６６は、各グループから、最高の信号品質を有する非接触式ＥＣＧセンサを選択することを含む。工程２６８は、各選択された非接触式ＥＣＧセンサの非接触式ＥＣＧ信号に基づいて標準ＥＣＧ信号を作り出すことを含む。
【００８３】
以上、好適実施形態について記載し添付の図面に図示したが、本開示から逸脱することなく様々な改造を行うことが可能であることは当業者にとって自明であろう。そのような改造も、本開示の範囲の可能なバリエーションとして解釈される。
【図１】
0006646050.tif 000002
【図２】
0006646050.tif 000003
【図３】
0006646050.tif 000004
【図４】
0006646050.tif 000005
【図５】
0006646050.tif 000006
【図６】
0006646050.tif 000007
【図７】
0006646050.tif 000008
【図８】
0006646050.tif 000009
【図９】
0006646050.tif 000010
【図１０】
0006646050.tif 000011
【図１１】
0006646050.tif 000012
【図１２】
0006646050.tif 000013
【図１３ａ】
0006646050.tif 000014
【図１３ｂ】
0006646050.tif 000015
【図１４】
0006646050.tif 000016